(57)【要約】【課題】他物固定部材の高さ調整範囲をより大きく取れる他物固定具を提供する。【解決手段】取付下地への第１固定部４を備えた下地側支持部材５と、上側の固定対象である他物を固定自在な第２固定部７を備えた他物固定部材９を設け、下地側支持部材５と他物固定部材９とを連結する中間支持部材１０を設け、中間支持部材１０に下地側支持部材５に対して連結自在な第１連結部１１を設けると共に、他物固定部材９に対して連結自在な第２連結部１２を設け、下地側支持部材５は、第１固定部４を下端部に設けた縦筒状の本体部１３と、本体部１３の上端部を閉じる屋根部１４を設けると共に、本体部１３の周側面よりも外側に延設した庇部１５を設けて、中間支持部材１０を上下方向に沿った柱状体から形成して、第１連結部１１と連結する第１被連結部１６を庇部１５に設けて、中間支持部材１０を下地側支持部材５に取り付け可能に構成してある。【選択図】図１
2020105899.tif 000002
【特許請求の範囲】
【請求項１】
取付下地への第１固定部を備えた下地側支持部材と、
上側の固定対象である他物を固定自在な第２固定部を備えた他物固定部材を設け、
前記下地側支持部材と前記他物固定部材とを連結する中間支持部材を設け、
前記中間支持部材に前記下地側支持部材に対して連結自在な第１連結部を設けると共に、前記他物固定部材に対して連結自在な第２連結部を設け、
前記下地側支持部材は、前記第１固定部を下端部に設けた縦筒状の本体部と、
前記本体部の上端部を閉じる屋根部を設けると共に、
前記本体部の周側面よりも外側に延設した庇部を設けてある他物固定具であって、
前記中間支持部材を上下方向に沿った柱状体から形成して、
前記第１連結部と連結する第１被連結部を前記庇部に設けて、前記中間支持部材を前記下地側支持部材に取り付け可能に構成してある他物固定具。
【請求項２】
前記中間支持部材の下端部が前記庇部よりも下方に上下位置変更可能にしてある請求項１に記載の他物固定具。
【請求項３】
前記中間支持部材を複数本設け、
前記第１連結部に対する前記第１被連結部を、前記庇部で周方向に異なった位置の複数個所に配設し、
前記第２連結部に対する第２被連結部を、前記他物固定部材の複数個所に配設してある請求項１または２に記載の他物固定具。
【請求項４】
前記第１連結部と前記第２連結部の少なくとも一方を、前記中間支持部材の長手方向の複数個所に設けてある請求項１から３のいずれか１項に記載の他物固定具。
【請求項５】
前記中間支持部材を、前記下地側支持部材の庇部の取付面に沿って左右揺動調整して固定できるように構成してある請求項１〜４のいずれか１項に記載の他物固定具。
【請求項６】
前記第１被連結部を形成するのに、両側に鍔部を設けて前記中間支持部材の一部を周方向に抱え込む屈曲金属板を設けると共に、その屈曲金属板の前記鍔部夫々をボルトとナットとで、前記庇部に取り付け、前記ボルトとナットの締め付けに伴って屈曲金属板が前記中間支持部材を前記庇部に強く押し付けてクランプすることで、前記第１連結部と前記第１被連結部を連結して、前記中間支持部材を位置固定する第１定着部を設けると共に、前記屈曲金属板に取り付けるボルトと係止金属板とで、前記中間支持部材の一部を前記係止金属板と前記屈曲金属板とで挟み込んで締め付けることで、前記中間支持部材を位置固定する第２定着部を設けてある請求項１〜５のいずれか１項に記載の他物固定具。
【請求項７】
請求項１〜６のいずれか１項に記載の前記下地側支持部材夫々の庇部において、互いに対向する内側面に、一対の第１中間支持部材を取り付け、それらの一対の第１中間支持部材に亘って比較的低い位置に、第１他物固定部材を架設し、
前記下地側支持部材夫々の庇部の外側面に、一対の第２中間支持部材を取り付け、それらの一対の第２中間支持部材に亘って前記第１他物固定部材よりも高い位置に第２他物固定部材を架設してある他物固定具の設置構造。
【請求項８】
一対の前記第１中間支持部材の上端部を、前記第２他物固定部材に連結一体化してある請求項７記載の他物固定具の設置構造。
【請求項９】
前記下地側支持部材には、前記屋根部の上方で前記他物を固定可能にする第３固定部を備えた補助取付部材を設け、
前記第３固定部の周部に、前記補助取付部材を前記庇部に対して上下高さ変更可能に取り付ける第３連結部を設けてある請求項１または２に記載の他物固定具。
【請求項１０】
前記第３連結部には第１ボルト挿通孔を設け、
前記庇部には庇部ボルト挿通孔を設け、
前記第１ボルト挿通孔と前記庇部ボルト挿通孔とにボルトを挿通させて、そのボルトとナットとの締め付けによって、前記補助取付部材を前記庇部に取り付け可能に構成し、
前記第１ボルト挿通孔と前記庇部ボルト挿通孔の内の一方を縦方向の長孔に形成し、他方を横方向の長孔に形成してある請求項９に記載の他物固定具。
【請求項１１】
前記下地側支持部材には、前記屋根部の上方で前記他物を固定可能にする第３固定部を備えた補助取付部材を設け、
前記中間支持部材の一部を周方向に抱え込んで支持する屈曲金属板を設け、
その屈曲金属板をボルトを介して連結するボルト挿通孔を、前記第３固定部の周部の連結面部の上部に設け、
前記ボルト挿通孔の上端部には、前記第３固定部に開口するボルト頭侵入口を設けてある請求項１〜１０のいずれか１項に記載の他物固定具。
【発明の詳細な説明】
【技術分野】
【０００１】
本発明は、取付下地への第１固定部を備えた下地側支持部材と、上側の固定対象である他物を固定自在な第２固定部を備えた他物固定部材を設け、前記下地側支持部材と前記他物固定部材とを連結する中間支持部材を設け、前記中間支持部材に前記下地側支持部材に対して連結自在な第１連結部を設けると共に、前記他物固定部材に対して連結自在な第２連結部を設け、前記下地側支持部材は、前記第１固定部を下端部に設けた縦筒状の本体部と、前記本体部の上端部を閉じる屋根部を設けると共に、前記本体部の周側面よりも外側に延設した庇部を設けてある他物固定具及び他物固定具の設置構造に関する。
【背景技術】
【０００２】
従来、上記他物固定具は、建物のベランダや屋上などに他物を固定するために、取付下地に第１固定部を介して下地側支持部材を固定し、上方に設置すべき他物を第２固定部を介して固定する他物固定部材を、中間支持部材を介して下地側支持部材に連結するもので、屋根部は、縦筒状の本体部の内部に雨水などを侵入させないために設けてあり、また、庇部は、屋上などの下地面を覆いながら下地側支持部材の本体部にかけて敷設する防水シートや、塗膜防水層の端部を覆って、雨水が下地面に侵入するのを防止するために設けてある。
そして、他物固定部材の上下高さ位置や他物取付姿勢を調整するために、ボルト挿通用の長孔を設けた板状部を屋根部から上方に突設させて、その板状部を、中間支持部材の第１連結部と連結する第１被連結部に形成して、その第１被連結部にボルトを介して第１連結部を連結するように構成してあった（例えば、特許文献１参照）。
【先行技術文献】
【特許文献】
【０００３】
【特許文献１】特開２０１２−８７５８０号公報
【発明の概要】
【発明が解決しようとする課題】
【０００４】
上述した従来の他物固定具は、第２固定部の上下高さ調整量を大きくすればするほど中間支持部材を上下に長くしなければならず、それに伴って、第１連結部に対応する第１被連結部を形成する前記板状部も上下に長く形成する必要があり、そのために、他物固定部材の高さ位置を下げた場合に、第１連結部を形成した中間支持部材の下端が屋根部に接当するか、又は、第１被連結部を形成する板状部の上端が、他物固定部材の第２固定部の下面に接当して、第２固定部をあまり低い位置に下げることが困難になるという問題点があった。
【０００５】
従って、本発明の目的は、上記問題点を解消し、他物固定部材の高さ調整範囲をより大きく取れる他物固定具を提供するところにある。
【課題を解決するための手段】
【０００６】
本発明の第１の他物固定具の特徴構成は、取付下地への第１固定部を備えた下地側支持部材と、上側の固定対象である他物を固定自在な第２固定部を備えた他物固定部材を設け、前記下地側支持部材と前記他物固定部材とを連結する中間支持部材を設け、前記中間支持部材に前記下地側支持部材に対して連結自在な第１連結部を設けると共に、前記他物固定部材に対して連結自在な第２連結部を設け、前記下地側支持部材は、前記第１固定部を下端部に設けた縦筒状の本体部と、前記本体部の上端部を閉じる屋根部を設けると共に、前記本体部の周側面よりも外側に延設した庇部を設けてある他物固定具であって、前記中間支持部材を上下方向に沿った柱状体から形成して、前記第１連結部と連結する第１被連結部を前記庇部に設けて、前記中間支持部材を前記下地側支持部材に取り付け可能に構成したところにある。
【０００７】
本発明の第１の特徴構成によれば、前記第１連結部と連結する第１被連結部を前記庇部に設けて、他物固定部材における第２固定部の上下高さ調整量を大きくするためには、庇部に設ける第１被連結部を、中間支持部材と同様には上下に長く形成せずに、第１連結部を設ける中間支持部材の上下長さだけを必要に応じて大きく形成するだけでよい。
【０００８】
本発明の第２の特徴構成は、前記中間支持部材の下端部が前記庇部よりも下方に上下位置変更可能にしたところにある。
【０００９】
本発明の第２の特徴構成によれば、前記中間支持部材の下端部が前記庇部よりも下方に上下位置変更可能にしてあることにより、しかも、第１連結部を設けた中間支持部材の下端部が、屋根部に接当せず、前記庇部よりも下方に上下位置変更及び固定可能にしてあるために、他物固定部材の第２固定部の上下位置変更量を、従来よりも大きくでき、しかも場合によっては、第２固定部を屋根部よりも低い位置に下降させることができる。
その上、前記中間支持部材を上下方向に沿った柱状体から形成することにより、中間支持部材の下端部を前記庇部よりも下方に下降させても、庇部の下側で下地側支持部材の本体部に防水シートを敷設したり、または、塗装する場合に、本体部の周囲に手が入りやすく、施工の障害になるのを極力少なくできる。
【００１０】
本発明の第３の特徴構成は、前記中間支持部材を複数本設け、前記第１連結部に対する前記第１被連結部を、前記庇部で周方向に異なった位置の複数個所に配設し、前記第２連結部に対する第２被連結部を、前記他物固定部材の複数個所に配設したところにある。
【００１１】
本発明の第３の特徴構成によれば、本発明の第１の特徴構成による上述の作用効果を叶えることができるのに加えて、柱状体から成る中間支持部材を複数本設け、前記第１連結部に対する前記第１被連結部を、前記庇部で周方向に異なった位置の複数個所に配設し、前記第２連結部に対する第２被連結部を、前記他物固定部材の複数個所に配設することにより、第２固定部の高さ調整だけでなく、傾き調整も自在にすることができる。
【００１２】
本発明の第４の特徴構成は、前記第１連結部と前記第２連結部の少なくとも一方を、前記中間支持部材の長手方向の複数個所に設けたところにある。
【００１３】
本発明の第４の特徴構成によれば、中間支持部材に取り付ける他物固定部材と、庇部に連接する屋根部との相対高さ位置を、上下により大きく変化できるばかりか、屋根部よりも低い位置に他物固定部材を固定したり、複数の他物固定部材を、図２０の斜視図に示すように、上下複数箇所に同時に固定することもできる。
【００１４】
本発明の第５の特徴構成は、前記中間支持部材を、前記下地側支持部材の庇部の取付面に沿って左右揺動調整して固定できるように構成したところにある。
【００１５】
本発明の第５の特徴構成によれば、中間支持部材の左右揺動調整により、下地の傾きとは別に中間支持部材に連結する他物固定部材の姿勢を傾き変更でき、そのために、他物固定部材に取り付ける他物を、正しい姿勢に保持できる。
【００１６】
本発明の第６の特徴構成は、前記第１被連結部を形成するのに、両側に鍔部を設けて前記中間支持部材の一部を周方向に抱え込む屈曲金属板を設けると共に、その屈曲金属板の前記鍔部夫々をボルトとナットとで、前記庇部に取り付け、前記ボルトとナットの締め付けに伴って屈曲金属板が前記中間支持部材を前記庇部に強く押し付けてクランプすることで、前記第１連結部と前記第１被連結部を連結して、前記中間支持部材を位置固定する第１定着部を設けると共に、前記屈曲金属板に取り付けるボルトと係止金属板とで、前記中間支持部材の一部を前記係止金属板と前記屈曲金属板とで挟み込んで締め付けることで、前記中間支持部材を位置固定する第２定着部を設けたところにある。
【００１７】
本発明の第６の特徴構成によれば、第１定着部を設けたことにより、前記屈曲金属板を両側の鍔部を介してボルトとナットとで庇部に取り付け、前記ボルトとナットの締め付けに伴って前記屈曲金属板が前記中間支持部材を前記庇部に強く押し付けてクランプすることで、第１連結部と第１被連結部とが相対的に滑りなく連結でき、その結果、中間支持部材を滑らないように位置固定できる。
その上、例えば、ボルトを挿通させるボルト挿通孔が長孔、又は、ボルト径よりも遊びの大きな径の孔であったとしても、ボルトとナットの更なる締め付け操作を大きくして、屈曲金属板の鍔部を、強く庇部に押圧すれば、双方の摩擦力により、中間支持部材の位置の変位を、より強固に防止できる。
加えて、第２定着部を設けてあることにより、前記屈曲金属板に取り付けるボルトと係止金属板とで、中間支持部材の一部を挟み込んで締め付けることで、更に一層、他物固定部材で支持する他物から大きな荷重を受けても、中間支持部材の位置固定を確実にできる。
【００１８】
本発明の第７の他物固定具の設置構造の特徴構成は、前記下地側支持部材夫々の庇部において、互いに対向する内側面に、一対の第１中間支持部材を取り付け、それらの一対の第１中間支持部材に亘って比較的低い位置に、第１他物固定部材を架設し、前記下地側支持部材夫々の庇部の外側面に、一対の第２中間支持部材を取り付け、それらの一対の第２中間支持部材に亘って前記第１他物固定部材よりも高い位置に第２他物固定部材を架設したところにある。
【００１９】
本発明の第７の特徴構成によれば、一対の下地側支持部材に対し、夫々の庇部に取り付ける一対の第１中間支持部材により第１他物固定部材を介して支持する他物の荷重は、一対の下地側支持部材夫々の内側面に作用し、同時に、一対の第２中間支持部材により第２他物固定部材を介して支持する他物の荷重が、一対の下地側支持部材夫々の外側面に作用することで、下地側支持部材夫々は、左右バランスを取りやすくなり、そのために無理な転倒モーメントが作用するのを防止できて、長期にわたって安定的に設置できる。
しかも、一対の第１中間支持部材に亘って比較的低い位置に、第１他物固定部材を架設し、且つ、一対の第２中間支持部材に亘って前記第１他物固定部材よりも高い位置に第２他物固定部材を架設してあるために、第１他物固定部材に取り付ける他物と、第２他物固定部材に取り付ける他物とがたとえ長尺体であっても、夫々干渉せずに固定できる。
【００２０】
本発明の第８の特徴構成は、一対の前記第１中間支持部材の上端部を、前記第２他物固定部材に連結一体化したところにある。
【００２１】
本発明の第８の特徴構成によれば、全体としてより強固なラーメン構造をとることができ、外力や振動が作用しても他物を安定支持できる。
【００２２】
本発明の第９の特徴構成は、前記下地側支持部材には、前記屋根部の上方で前記他物を固定可能にする第３固定部を備えた補助取付部材を設け、前記第３固定部の周部に、前記補助取付部材を前記庇部に対して上下高さ変更可能に取り付ける第３連結部を設けたところにある。
【００２３】
本発明の第９の特徴構成によれば、中間支持部材１０の上側に他物固定部材９に備えた第２固定部７の上下位置と、第３固定部１９Ａの上下位置の相対高さを変更可能にできる。
【００２４】
本発明の第１０の特徴構成は、前記第３連結部には第１ボルト挿通孔を設け、前記庇部には庇部ボルト挿通孔を設け、前記第１ボルト挿通孔と前記庇部ボルト挿通孔とにボルトを挿通させて、そのボルトとナットとの締め付けによって、前記補助取付部材を前記庇部に取り付け可能に構成し、前記第１ボルト挿通孔と前記庇部ボルト挿通孔の内の一方縦方向の長孔に形成し、他方を横方向の長孔に形成したところにある。
【００２５】
本発明の第１０の特徴構成によれば、庇部に対して補助取付部材を上下高さ変更可能にするばかりか、屋根部に対して第３固定部を相対的に上下傾斜可能にできる。
そのために、第１固定部を設置する下地が傾斜地の場合でも、補助取付部材の第３固定部に取り付ける他物を水平に固定できる。
【００２６】
本発明の第１１の特徴構成は、前記下地側支持部材には、前記屋根部の上方で前記他物を固定可能にする第３固定部を備えた補助取付部材を設け、前記中間支持部材の一部を周方向に抱え込んで支持する屈曲金属板を設け、その屈曲金属板をボルトを介して連結するボルト挿通孔を、前記第３固定部の周部の連結面部の上部に設け、前記ボルト挿通孔の上端部には、前記第３固定部に開口するボルト頭侵入口を設けたところにある。
【００２７】
本発明の第１１の特徴構成によれば、屈曲金属板のボルト挿通孔にボルトを挿通させた状態で、ボルト頭をボルト頭侵入口に侵入させて、前記連結面部に屈曲金属板を連結可能になり、そのために、手やスパナ等を補助取付部材の内側に挿通困難な場合に、連結面部の裏側からボルトをボルト挿通孔に挿通させる必要がなくなり、寸法設計の自由度が向上する。
【図面の簡単な説明】
【００２８】
【図１】本発明の第１実施形態の全体斜視図である。
【図２】第１実施形態の上部分解斜視図である。
【図３】第１実施形態の縦断正面図である。
【図４】下地側支持部材の平面図である。
【図５】他物を取り付けた第１実施形態の全体斜視図である。
【図６】別実施形態の斜視図で、(ａ)は組立図、（ｂ）は分解斜視図である。
【図７】別実施形態の斜視図で、(ａ)は組立図、（ｂ）は分解斜視図である。
【図８】別実施形態図７の施工例を示す正面図である。
【図９】第１実施形態の別施工例を示す正面図である。
【図１０】別実施形態の全体斜視図である。
【図１１】別実施形態の全体斜視図である。
【図１２】別実施形態の側面図である。
【図１３】別実施形態の側面図である。
【図１４】第２実施形態の施工例を示す正面図である。
【図１５】第２実施形態の施工例を示す斜視図である。
【図１６】補助取付部材の使用態様を示す全体斜視図である。
【図１７】他物固定具の設置構造の第２実施形態を示す正面図である。
【図１８】他物固定具の設置構造の第２実施形態を示す正面図である。
【図１９】中間支持部材の取付構造の別実施形態を示す斜視図である。
【図２０】別実施形態の全体斜視図である。
【図２１】別実施形態の全体斜視図である。
【図２２】別実施形態の全体斜視図である。
【図２３】別実施形態の正面図である。
【図２４】別実施形態の一部の分解斜視図である。
【図２５】別実施形態の一部の使用状態を示す斜視図である。
【図２６】別実施形態の一部の側面図で使用状態を示す作用図である。
【図２７】別実施形態の一部の斜視図である。
【発明を実施するための形態】
【００２９】
以下に本発明の実施の形態を図面に基づいて説明する。
〔第１実施形態〕
図１〜図５に示すように、本発明の他物固定具１は、建物のベランダや屋上などに、固定対象部材として設備機器や配線、配管等の他物３を固定するために、屋上のコンクリート床やベランダ等の建築物（取付下地の一例）への第１固定部４を備えた下地側支持部材５と、上側の固定対象である他物３を固定自在な第２固定部７を備えた他物固定部材９を設け、下地側支持部材５と他物固定部材９とを連結する中間支持部材１０を設け、中間支持部材１０の下側に下地側支持部材５に対して連結自在な第１連結部１１を設けると共に、中間支持部材１０の上側に他物固定部材９に対して連結自在な第２連結部１２を設け、下地側支持部材５は、第１固定部４を下端部に設けた縦筒状（円筒形）の本体部１３と、本体部１３の上端部を閉じる屋根部１４を設けると共に、本体部１３の周側面よりも外側に延設した庇部１５を設けて金属製の他物固定具１を構成してある。
【００３０】
当該実施形態においては、コンクリート床２に当該他物固定具１を設置し、その他物固定具１に固定対象部材を固定してある状態で、コンクリート床２の全域から下地側支持部材５の本体部１３の下部に亘って被覆するように防水シート（図外）を敷設する例を想定して進める。
コンクリート床２における他物固定具１の設置は、アンカーボルト８を第１固定部４に形成したボルト挿通孔１８に挿通させて固定してある。
【００３１】
中間支持部材１０を断面略コの字形で上下方向に沿った金属製柱状体から形成して、第１連結部１１と連結する第１被連結部１６を庇部１５の周部に形成した上下壁部に設けて、中間支持部材１０の下端部が庇部１５よりも下方に上下位置変更及び固定可能に構成してある。
つまり、中間支持部材１０を２本設け、第１連結部１１に対してクランプして無段階式に固定可能にする第１被連結部１６を形成するのに、図４に示すように、両側に鍔部３０Ａを設けて屈曲形成した屈曲金属板３０を設けると共に、庇部１５の端部で周方向に異なった位置の複数個所（図１の場合、下地側支持部材５を挟んで互いに対向する箇所）に配設し、その屈曲金属板３０の鍔部３０Ａをボルト２１とナット２２とで、庇部１５に取り付け、ナット２２の締め付けに伴って屈曲金属板３０が中間支持部材１０を庇部１５に強く押し付けてクランプすることで、中間支持部材１０を滑らないように位置固定できる第１定着部を設けてある。
そして、更に屈曲金属板３０に取り付けるボルト２１と係止金属板２３とで、断面コの字形の中間支持部材１０の蟻溝縁部を挟み込んで締め付けることで、他物固定部材９で支持する他物からの荷重を受けても、中間支持部材１０がより一層上下に位置ずれするのを防止できるように第２定着部を設けてある。
【００３２】
尚、第２定着部は、ボルト２１と係止金属板２３とで中間支持部材１０の蟻溝縁部を挟み込み固定する構造を採用する以外に、中間支持部材１０を屈曲金属板３０にボルト、ナットで直着けする場合であってもよい。
また、第２連結部１２に対する第２被連結部１７を、他物固定部材９の複数個所に配設してある。
他物固定部材９は、図１〜３では、断面略コの字形の金属製柱状部材から形成してあり、略コの字形のアリ溝部に他物３に対する固定金具を掛止可能に構成してある。
尚、他物固定部材９の形状は、アリ溝部の存在する鋼材以外に断面形状が図５で示す単なるコの字形の鋼材であってもよく、断面略コの字形以外に、Ｌ形アングル鋼材や、その他の筒体等であってもよい。
【００３３】
したがって、図８に示すように、２本の中間支持部材１０夫々の第２連結部１２の高さを異なるように第１被連結部１６によるクランプ調整で、第１連結部１１それぞれの固定調整を無段階式に行えば、他物固定部材９の傾きなどの姿勢を自在に変更できる。
【００３４】
図１〜図５に示す前記下地側支持部材５には、屋根部１４の上側に、ボルト挿通孔１８を複数備えさせた補助取付部材１９を、溶接により一体に固定してある。
例えば、その補助取付部材１９のボルト挿通孔１８に挿通させるボルト２１とナット２２、第１被連結部１６と同様の構造の補助固定部材２６とで、他物固定部材９を固定して、図１６に示すように、他物固定部材９を介して他物を補助的に取り付け可能に構成してある。
【００３５】
図１〜図５に示すように、中間支持部材１０と他物固定部材９とをより剛連結してラーメン構造にするために、中間支持部材１０を金属製で断面略コノ字形の棒状態に形成すると共に、その断面略コノ字形の蟻溝部２０に挿入した状態で、その蟻溝部２０の内側縁部を挟み込んで係止する係止金属板２３とボルト２１とを設け、第１連結部１１と第１被連結部１６を連結するボルト２１とナット２２を上下に複数設けると共に、ボルト挿通孔２７も上下に複数設け(図２)、更に、前記係止金属板２３とボルト２１を上下に複数個設ける（図３）。
そして、左右一対の中間支持部材１０の上端部に連結する横長の補助連結部材２４を設け、その補助連結部材２４を介して中間支持部材１０の上端部を他物固定部材９に連結可能に構成して第２被連結部１７を構成してある。
つまり、中間支持部材１０の上端部に形成する第２連結部１２に対する内嵌部２５を、補助連結部材２４に左右一対設け、その内嵌部２５に対して第２連結部１２を連結するボルト２１、ナット２２の組み合わせと、ボルト２１と係止金属板２３の組み合わせとを設け、補助連結部材２４とその上に載置する他物固定部材９とをボルト２１とナット２２の組み合わせによって一体に剛連結可能な構成にして、第２被連結部１７を構成してある。
【００３６】
〔別実施形態〕
以下に他の実施の形態を説明する。
なお、以下の他の実施形態において、上記実施形態と同様の部材には同一の符号を附してある。
〈１〉  前記補助連結部材２４は、図６（ａ）、（ｂ）に示すように、左右一対の中間支持部材１０に対し個別に嵌合させて、図３に示す連結構造と同様に、剛連結する一対の補助連結部材２４Ａに構成してあってもよい。
〈２〉  前記補助連結部材２４を、図７（ａ）、（ｂ）に示すように、左右一対の中間支持部材１０に対し、個別に連結する一対の補助連結部材２４Ｂに構成してあってもよく、この場合には、補助連結部材２４Ｂと中間連結部材１０とは、剛には連結せずに、左右に相対的に揺動可能に形成して、図８に示すように、他物固定部材９を傾斜姿勢に連結支持して他物を固定可能に構成してあってもよい。
〈３〉  第１実施形態においては、中間支持部材１０の上端部に連結する補助連結部材２４を設けたが、補助連結部材２４を設けずに、直接、他物固定部材９を中間支持部材１０に連結する構造であってもよい。
〈４〉  前記本体部１３は、円筒形に限らず角筒状であってもよい。
〈５〉  前記コンクリート床には、防水シートの代わりに塗膜防水層を施してあってもよい。従ってこの場合には、縦筒状の本体部１３の外周面には、防水シートを被覆する代わりに、塗膜防水剤を塗布する。
〈６〉  中間支持部材１０は、２本取り付けるほかに、１本でもよく、この場合、図９に示すように、複数の他物固定具１夫々に１本ずつ取り付けた中間支持部材１０同士に亘って他物固定部材９を連結し、その他物固定部材９に設置物（他物）を固定する。
〈７〉  中間支持部材１０は、図１０や図１１に示すように、２本以上取り付けてあってもよい。
〈８〉  前記第１連結部１１を固定する第１被連結部１６はクランプ式に限らず、図１９に示すように、ボルト連結による段階式に、中間支持部材１０を庇部１５に対して固定高さ調整可能にしてあってもよい。また、中間支持部材１０に設けた上下に多数のボルト挿通孔を、上下に長い長孔に形成する代わりに、任意の位置に組立現場でボルト挿通孔を形成するものでもよい。
〈９〉  庇部１５は、屋根部１４よりも上方に突出した部分があってもよい。また、その庇部１５の外周部は垂直面でも、斜めの面であってもよい。
〈１０〉  前記第１連結部１１を固定する第１被連結部１６は、図１２（ａ）、（ｂ）、（ｃ）、図１３に示すように、中間支持部材１０を庇部の取付面に沿って左右揺動調整自在に及び固定自在にして、傾き調整可能な連結構造であってもよい。そうすれば、図１３に示すように、隣接する中間支持部材１０，１０間にわたって固定連結した他物固定部材９を、下地の傾きとは別に姿勢調整できる。尚、この場合、図１２（ｃ）に示すように、第１連結部１１と第２被連結部１６に挿通して連結するボルト２１に対するボルト挿通孔１８を、上下、左右に長い長孔に形成してある。これらの長孔からなるボルト挿通孔１８によって、中間支持部材１０の傾き調整の他に、第１被連結部１６の取り付け位置及び中間支持部材の位置を上下左右に微調整できる。尚、これらの長孔から成るボルト挿通孔１８によって、中間支持部材１０の傾き調整の他に、第１被連結部１６を上下左右に位置を微調整できるように構成してある。
〈１１〉  前記中間支持部材１０の傾きを調整する必要のない場合には、ボルト挿通孔１８を、長孔にする必要はなく丸孔でよく、この場合、第１定着部では、屈曲金属板３０の鍔部３０Ａと庇部１５は必ずしも圧接していなくても、屈曲金属板３０が中間支持部材１０を庇部１５に強く押し付けて、クランプできればよい。
〈１２〉  中間支持部材１０は、蟻溝部２０を設けた断面コの字形の柱状体の他に、断面Ｌ型のアングル材やパイプ状（角パイプまたは丸パイプ等）、チャンネル型などの他の断面形状の柱状体であってもよい。
〈１３〉  中間支持部材１０の下端は、庇部１５よりも下方に位置変更させて固定可能に構成してあるが、図２１に示すように、庇部１５及び屋根部１４よりも高い位置に固定できるようにして第１被連結部１６ａを形成してあってもよい。つまり、中間支持部材１０の下端部が、庇部１５及び屋根部１４よりも上方及び下方間に上下位置変更及び固定可能にしてあればよい。
〈１４〉  尚、下地側支持部材５における屋根部１４、庇部１５、補助取付部材１９、及び、本体部１３、第１固定部４の形状は、平面視で円形、方形、その他多角形であってもよく、夫々の基本的機能が備わったものであれば、種々設計変更可能である。
【００３７】
［第２実施形態］
図１４及び図１５に示すように、中間支持部材１０の下端部を屋根部１４よりも下方になるように連結固定して、中間支持部材１０に連結固定する他物固定部材９を、中間支持部材１０の上端部のみならず、下端部や上下中間部に連結固定してもよく、また、複数の他物固定部材９を、同時に連結固定してもよい。つまり、図１４及び図１５では、隣接する下地側支持部材５それぞれに取り付けた一対の中間支持部材１０にわたって下側の他物固定部材９を、庇部１５よりも下方位置に取り付けると共に、上側の他物固定部材９を中間支持部材１０の上下中間部に連結固定して、夫々の他物固定部材９に他物３を取り付けるように構成してある。
【００３８】
また、図１７、図１８に示すように、下地側支持部材５夫々の庇部において、互いに対向する内側面に、一対の第１中間支持部材１０Ａを取り付け、それらの一対の第１中間支持部材１０Ａに亘って比較的低い位置に、第１他物固定部材９Ａを架設して、例えば、キュウビクルなどに接続した電気ケーブル２８を支持して固定し、下地側支持部材５夫々の庇部１５の外側面に、一対の第２中間支持部材１０Ｂを取り付け、それらの一対の第２中間支持部材１０Ｂに亘って電気ケーブル２８を支持する第１他物固定部材９Ａよりも高い位置に第２他物固定部材９Ｂを架設して、その第２他物固定部材９Ｂに、例えば、空調配管等の配管２９を支持して固定してある。
【００３９】
また、特に図１７においては、一対の第１中間支持部材１０Ａの上端部を、第２他物固定部材９Ｂに連結一体化してあり、これにより、全体としてより強固なラーメン構造をとることができ、外力や振動が作用しても他物を安定支持できる。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【００４０】
［第３実施形態］
図２２〜図２５に示すように、前記下地側支持部材５には、屋根部１４の上方で他物を固定可能にする第３固定部１９Ａを備えた補助取付部材１９を設け、前記第３固定部１９Ａの周部に、補助取付部材１９を庇部１５に対して上下高さ変更可能に取り付ける第３連結部１９Ｂを設けてあってもよい。
この場合、中間支持部材１０を取り付けるために、第１連結部１６として、上部屈曲金属板３２と下部屈曲金属板３３とからなるクランプ機構を設け、上部屈曲金属板３２は、補助取付部材１９の上部にボルト２１とナット２２を介して取り付け、下部屈曲金属板３３は、第３連結部１９Ｂをボルト２１とナット２２によって庇部１５に共締めして取り付け可能に構成してある。
従って、中間支持部材１０の上側に他物固定部材９に備えた第２固定部７の上下位置と、第３固定部１９Ａの上下位置の相対高さを変更可能にできる。
尚、前記ボルト２１は、角根丸頭ボルトや根角ボルトと称するものを使用し、そのボルト２１を、角孔の庇部ボルト挿通孔１５Ａ（図２２、図２４参照）に裏側から挿入して、庇部１５の内側空間が狭くても、スパナを使用せずに回り止めを可能としてある。
【００４１】
上記構成によって、図２５、図２６に示すように、傾斜地に他物３を固定する場合に、他物固定部材９の第２固定部７に他物を取り付ける上側他物取付仮想面Ａと、補助取付部材１９の第３固定部１９Ａに別の他物や他物固定部材９を取り付ける下側他物取付仮想面Ｂとを、高さを異ならせることができるばかりか、上側他物取付仮想面Ａと下側他物取付仮想面Ｂとを、例えば平行な水平面になるような設置構造が可能である。
【００４２】
尚、図２２〜図２５で示す補助取付部材１９は、庇部１５が四角筒の形状を成しているために、その庇部１５の4つの筒側面夫々に各別に連結する一対の第１連結面部１９ａと一対の第２連結面部１９ｂの２種類から第３連結部１９Ｂを構成し、一対の第１連結面部１９ａは、互いに対向する庇部１５に取り付けると共に、一対の第２連結面部１９ｂは、その他の互いに対向する庇部１５に取り付け可能に、第３連結部１９Ｂの第１連結面部１９ａと第２連結面部１９ｂに第１ボルト挿通孔１８Ａを設け、且つ、庇部１５には、角孔の庇部ボルト挿通孔１５Ａを設け、第１ボルト挿通孔１８Ａと庇部ボルト挿通孔１５Ａとにボルト２１を挿通させ、下部屈曲金属板３３をボルト２１及びナット２２により共締めして取り付け可能に構成してある。
【００４３】
庇部１５に対する第１連結面部１９ａと第２連結面部１９ｂの第１ボルト挿通孔１８Ａは、それぞれ上下方向の長孔に形成し、庇部ボルト挿通孔１５Ａは、角孔に形成してあって、庇部１５に対して補助取付部材１９の連結固定位置を、上下高さ変更可能にしてあるばかりか、図２６に示すように、庇部１５に対して補助取付部材１９の第３固定部１９Ａを相対的に上下傾斜可能にして固定姿勢を設定可能に構成してある。
尚、庇部ボルト挿通孔１５Ａは、図２７に示すように、横方向の長孔に形成してあってもよい。
【００４４】
図２２〜図２５に示すように、第２連結面部１９ｂの上部には、上部屈曲金属板３２を連結するための第２ボルト挿通孔１８Ｂを、上下方向の長孔に形成すると共に、その上端部には第３固定部１９Ａに開口するボルト頭侵入口１８ａを設け、上部屈曲金属板３２のボルト挿通孔１８にボルト２１を挿通させた状態で、ボルト頭をボルト頭侵入口１８ａに侵入させて、第２連結面部１９ｂに上部屈曲金属板３２を連結可能に構成してあり、そのために、手やスパナ等を補助取付部材１９の内側に挿通困難な場合に、第２連結面部１９ｂの裏面部からボルト２１を第２ボルト挿通孔１８Ｂに挿通させる必要がなくなる。
尚、上記第２ボルト挿通孔１８Ｂ及びボルト頭侵入口１８ａを設ける構成は、補助取付部材１９が、庇部１５に対して上下高さ変更可能に取り付けられる取付構造以外に、第１実施形態に示すように、屋根部１４の上側に溶接等により一体に固定してある構造においても実施できるものである。
【符号の説明】
【００４５】
３      他物
４      第１固定部
５      下地側支持部材
７      第２固定部
９      他物固定部材
９Ａ    第１他物固定部材
９Ｂ    第２他物固定部材
１０    中間支持部材
１０Ａ  第１中間支持部材
１０Ｂ  第２中間支持部材
１１    第１連結部
１２    第２連結部
１３    本体部
１４    屋根部
１５    庇部
１６    第１被連結部
１７    第２被連結部
【図１】
2020105899.tif 000003
【図２】
2020105899.tif 000004
【図３】
2020105899.tif 000005
【図４】
2020105899.tif 000006
【図５】
2020105899.tif 000007
【図６】
2020105899.tif 000008
【図７】
2020105899.tif 000009
【図８】
2020105899.tif 000010
【図９】
2020105899.tif 000011
【図１０】
2020105899.tif 000012
【図１１】
2020105899.tif 000013
【図１２】
2020105899.tif 000014
【図１３】
2020105899.tif 000015
【図１４】
2020105899.tif 000016
【図１５】
2020105899.tif 000017
【図１６】
2020105899.tif 000018
【図１７】
2020105899.tif 000019
【図１８】
2020105899.tif 000020
【図１９】
2020105899.tif 000021
【図２０】
2020105899.tif 000022
【図２１】
2020105899.tif 000023
【図２２】
2020105899.tif 000024
【図２３】
2020105899.tif 000025
【図２４】
2020105899.tif 000026
【図２５】
2020105899.tif 000027
【図２６】
2020105899.tif 000028
【図２７】
2020105899.tif 000029